(57)【要約】【課題】音声出力部を移動させた場合に表示部に表示された映像全体を確実に視認することができる出力装置を提供する。【解決手段】音声出力部２２，２４を有し操作者の頭部を左右から押圧する押圧部４，６と、前記押圧部に対して押圧力を付加するバンド部１２と、前記押圧部と前記バンド部とを、前記操作者の頭部に装着した場合に、略左右方向となる軸まわりに回転可能に接続する接続部８，１０と、前記押圧部、前記バンド部及び前記接続部の何れかに固定され、前記操作者の少なくとも片眼に対して映像を投影することにより前記操作者に映像を提供する映像出力部１８と、前記バンド部に対する前記接続部の回転角度を検出する角度検出部２６，２８と、前記角度検出部の検出結果に基づいて、前記映像出力部により提供される映像を変化させる映像制御部３０とを備える。【選択図】図３
2012070019.tif 000002
【特許請求の範囲】
【請求項１】
音声出力部を有し操作者の頭部を左右から押圧する押圧部と、
前記押圧部に対して押圧力を付加するバンド部と、
前記押圧部と前記バンド部とを、前記操作者の頭部に装着した場合に、略左右方向となる軸まわりに回転可能に接続する接続部と、
前記押圧部、前記バンド部及び前記接続部の何れかに固定され、前記操作者の少なくとも片眼に対して映像を投影することにより前記操作者に映像を提供する映像出力部と、
前記バンド部に対する前記接続部の回転角度を検出する角度検出部と、
前記角度検出部の検出結果に基づいて、前記映像出力部により提供される映像を変化させる映像制御部と
を備えることを特徴とする出力装置。
【請求項２】
前記映像制御部は、前記角度検出部により検出された前記接続部の回転角度が所定の角度範囲でない場合には、前記映像出力部により提供される映像の輝度、コントラスト、シャープネス及び色度の少なくとも１つを変化させることを特徴とする請求項１記載の出力装置。
【請求項３】
前記映像制御部は、前記角度検出部により検出された前記接続部の回転角度が所定の角度範囲でない場合には、前記映像出力部により提供される映像の位置を左右にシフトさせることを特徴とする請求項１または請求項２記載の出力装置。
【請求項４】
前記映像制御部は、前記映像出力部が取り付けられていない側の前記接続部が、前記操作者の頭部の後ろ側に位置するように回転している場合には、前記映像出力部により提供される映像の位置を前記操作者から見て外側にシフトさせることを特徴とする請求項３記載の出力装置。
【請求項５】
前記映像制御部は、前記映像出力部が取り付けられていない側の前記接続部が、前記操作者の頭部の前側に位置するように回転している場合には、前記映像出力部により提供される映像の位置を前記操作者から見て内側にシフトさせることを特徴とする請求項３記載の出力装置。
【請求項６】
前記映像制御部は、前記映像出力部が取り付けられている側の前記接続部が、前記操作者の頭部の後ろ側に位置するように回転している場合には、前記映像出力部により提供される映像の位置を前記操作者から見て内側にシフトさせることを特徴とする請求項３記載の出力装置。
【請求項７】
前記映像制御部は、前記映像出力部が取り付けられている側の前記接続部が、前記操作者の頭部の前側に位置するように回転している場合には、前記映像出力部により提供される映像の位置を前記操作者から見て外側にシフトさせることを特徴とする請求項３記載の出力装置。
【請求項８】
前記映像制御部は、前記角度検出部により検出された前記接続部の回転角度が、第１の所定の角度範囲内である場合には前記映像出力部により提供される映像を変化させ、前記第１の所定の角度範囲を越えた場合には前記映像出力部からの映像出力を停止させることを特徴とする請求項１〜請求項７の何れか一項に記載の出力装置。
【請求項９】
前記音声出力部は、前記回転角度検出部により検出された前記接続部の回転角度が、第１の所定の角度範囲内である場合には出力する音声を変化させ、前記第１の所定の角度範囲を越えた場合には音声出力を停止させることを特徴とする請求項８記載の出力装置。
【発明の詳細な説明】
【技術分野】
【０００１】
本発明は、出力装置に関するものである。
【背景技術】
【０００２】
従来、ヘッドホンの横に表示部を支えるアームが取り付けられているヘッドマウントディスプレイが存在する（例えば、特許文献１参照）。このヘッドマウントディスプレイによれば、ヘッドマウントディスプレイを装着した状態で外の音を聞く場合には、スピーカを移動させることにより外の音を聞こえ易くすることができる。
【先行技術文献】
【特許文献】
【０００３】
【特許文献１】特開２００７−２４３５４０号公報
【発明の概要】
【発明が解決しようとする課題】
【０００４】
しかしながら、上述のヘッドマウントディスプレイにおいては、ヘッドマウントディスプレイを装着した状態でスピーカを移動させると、表示部がずれて映像全体を視認することができない場合があった。
【０００５】
本発明の目的は、音声出力部を移動させた場合に表示部に表示された映像全体を確実に視認することができる出力装置を提供することである。
【課題を解決するための手段】
【０００６】
本発明の出力装置は、音声出力部を有し操作者の頭部を左右から押圧する押圧部と、前記押圧部に対して押圧力を付加するバンド部と、前記押圧部と前記バンド部とを、前記操作者の頭部に装着した場合に、略左右方向となる軸まわりに回転可能に接続する接続部と、前記押圧部、前記バンド部及び前記接続部の何れかに固定され、前記操作者の少なくとも片眼に対して映像を投影することにより前記操作者に映像を提供する映像出力部と、前記バンド部に対する前記接続部の回転角度を検出する角度検出部と、前記角度検出部の検出結果に基づいて、前記映像出力部により提供される映像を変化させる映像制御部とを備えることを特徴とする。
【発明の効果】
【０００７】
本発明によれば、音声出力部を移動させた場合に表示部に表示された映像全体を確実に視認することができる。
【図面の簡単な説明】
【０００８】
【図１】実施の形態に係るＨＭＤの外観を示す斜視図である。
【図２】実施の形態に係るＨＭＤの音声出力部の動きを説明する図である。
【図３】実施の形態に係るＨＭＤのシステム構成を示すブロック図である。
【図４】実施の形態に係るＨＭＤの音声出力部の動きを説明する図である。
【図５】実施の形態に係るＨＭＤの表示部が動いた場合の映像の視認状態を説明する図である。
【図６】実施の形態に係るＨＭＤの表示部が動いた場合の表示状態を説明する図である。
【図７】実施の形態に係るＨＭＤの表示部が動いた場合の表示状態を説明する図である。
【発明を実施するための形態】
【０００９】
以下、図面を参照して、本発明の実施の形態に係る出力装置についてＨＭＤ（Ｈｅａｄ  Ｍｏｕｎｔｅｄ  Ｄｉｓｐｌａｙ）を例に説明する。図１は、実施の形態に係るＨＭＤの外観を示す斜視図である。図１に示すように、ＨＭＤ２は操作者の頭部を左右から押圧する二つの音声出力部４，６を有し、音声出力部４，６はそれぞれ接続部８，１０を介して、音声出力部４，６に対して押圧力を付加するバンド部１２に接続されている。ここで接続部８，１０は、バンド部１２に対して操作者が頭部に装着した場合に略左右方向となる軸１４まわりに回動可能に接続され、接続部８，１０にはそれぞれ音声出力部４，６が固定されている。音声出力部４，６にはそれぞれスピーカ２２，２４（図３参照）が収納されている。音声出力部４の外側の略中央には操作者の指示を入力する操作部材である十字キー２０が設けられている。また、音声出力部６の外側の略中央には図示しない回転軸を介して支持アーム１６が取り付けられ、支持アーム１６の先端部には操作者の片眼に映像を入力することによって、映像を操作者に提供する表示部１８が設けられている。ここで、音声出力部４，６には、それぞれバンド部１２に対する軸１４まわりの回転角度を検出する回転角度検出スイッチ（Ｒ）２６，回転角度検出スイッチ（Ｌ）２８（図３参照）が設けられている。
【００１０】
音声出力部４，６と接続部８，１０は固定されているため、音声出力部４，６は接続部８，１０と共に軸１４まわりに回転する。例えば、図２（ａ）に示すように音声出力部４，６により操作者の両耳が直接押圧されている状態において、音声出力部４を軸１４まわりに回転させることにより、図２（ｂ）に示すように操作者の耳を露出させた状態で操作者の頭部に固定することが可能となる。これにより操作者は外の音を聞き易くなる。
【００１１】
図３は、実施の形態に係るＨＭＤ２のシステム構成を示すブロック図である。図３に示すように、ＨＭＤ２はコントローラ３０を備え、コントローラ３０には、十字キー２０、スピーカ２２，２４、回転角度検出スイッチ（Ｒ）２６，回転角度検出スイッチ（Ｌ）２８、ＬＣＤ表示部３２に表示する映像情報を一時的に記憶するメモリ３４、プログラム、映像情報等を記憶するフラッシュメモリ３６、ＬＣＤ表示部３２の駆動を行うＬＣＤドライバ４０、バックライト４２の制御を行うバックライトドライバ４４が接続されている。表示部１８の内部においては、映像情報を電気的に表示するＬＣＤ表示部３２の背面にバックライト４２が配置され、バックライト４２から射出された照明光を用いてＬＣＤ表示部３２を照明する。ＬＣＤ表示部３２に表示された映像はミラー４６により反射された後、接眼レンズ４８によりサイズが変更され操作者の眼に入力される。
【００１２】
図４（ａ）に示すように、音声出力部４，６により操作者の両耳を押圧し、左眼の前方に表示部１８が位置するように操作者の頭部にＨＭＤ２が装着される。この場合には頭部を押圧する支点とバンド部１２による押圧力を加える力点とが略同一平面状に有るためＨＭＤ２を操作者の頭部に安定して固定することができる。この状態で図示しない電源スイッチがオンにされるとコントローラ３０が起動し、表示部１８のＬＣＤ表示部３２に表示された映像が操作者に提供される。また、音声出力部４，６によりＬＣＤ表示部３２に表示される映像に基づく音声を出力する。また、回転角度検出スイッチ（Ｒ）２６，回転角度検出スイッチ（Ｌ）２８によりバンド部１２に対する音声出力部４，６の軸１４まわりの回転角度を検出する。
【００１３】
この場合には、図５（ａ）に示すように、ＬＣＤ表示部３２に表示される映像の全体から射出した光束が接眼レンズ４８を介して操作者の眼５０に入射する。従って、図６（ａ）に示すように、操作者は表示部１８に表示される映像５４の全体を視認することができる。
【００１４】
図４（ｂ）に示すように、操作者が音声出力部４を操作者の頭部の後ろ側へ移動させるように軸１４まわりに所定の回転角度で回転させると、音声出力部４，６により操作者の頭部を押圧する支点と、バンド部１２による押圧力を加える力点とが、略同一平面上に存在しなくなるため、図４（ｃ）に示すように、音声出力部４からバンド部１２に対して操作者の前方に作用する力が加わり、バンド部１２の音声出力部４側が操作者の前方に移動し、それに伴い表示部１８が操作者から見て外側に移動する。
【００１５】
この状態においては、図５（ｂ）に示すように、ＬＣＤ表示部３２に表示される映像の操作者から見て内側の端部５２から射出する光束は、操作者の眼５０に入射しないため、図６（ｂ）に示すように、操作者は操作者から見て内側の端部が蹴られた映像５４を視認することになる。従って、コントローラ３０は、回転角度検出スイッチ（Ｒ）２６により検出された音声出力部４の回転角度が、音声出力部４が操作者の耳から外され操作者の頭部の後ろ側に位置する所定の角度範囲内である場合には、図７に示すように、ＬＣＤ表示部３２に表示されている映像を所定の大きさに縮小しつつ、映像の位置を操作者から見て外側にシフトする。これにより、操作者は表示部１８に表示される映像５６（縮小した映像５４の全体）を視認することができる。また、表示部１８に表示される映像５６の輝度を所定量上げ、操作者が映像５４に注意を向け易くする。また、音声出力部４からの音声出力を停止する。操作者は音声出力部４から出力される音声を聞くことができないため、音声出力を停止することで消費電力を小さくする。さらに音声出力部６から出力される音声の音量を所定量上げる。これにより、操作者は音声出力部６から出力される音声を聞き取り易くなる。
【００１６】
一方、図４（ａ）に示す状態において、操作者が音声出力部４を操作者の頭部の前側へ移動させるように軸１４まわりに所定の回転角度で回転させると、音声出力部４を操作者の頭部の後ろ側へ移動させた場合とは逆に、表示部１８が操作者から見て内側に移動する。この場合には、操作者は操作者から見て外側の端部が蹴られた映像５４を視認することになる。従って、コントローラ３０は、回転角度検出スイッチ（Ｒ）２６により検出された音声出力部４の回転角度が、音声出力部４が操作者の耳から外され操作者の頭部の前側に位置する所定の角度範囲内である場合には、ＬＣＤ表示部３２に表示されている映像を所定の大きさに縮小しつつ、映像の位置を操作者から見て内側にシフトする。これにより、操作者は表示部１８に表示される映像５６を視認することができる。この場合においても、音声出力部４を操作者の頭部の後ろ側へ移動させた場合と同様に、表示部１８に表示される映像５６の輝度を所定量上げ、音声出力部４からの音声出力を停止し、さらに音声出力部６から出力される音声の音量を所定量上げる。
【００１７】
また、図４（ａ）に示す状態において、操作者が音声出力部６を操作者の頭部の後ろ側へ移動させるように軸１４まわりに所定の回転角度で回転させた場合には、バンド部１２の音声出力部６側が操作者の前方に移動し、それに伴い表示部１８が操作者から見て内側に移動する。この場合には、操作者は操作者から見て外側の端部が蹴られた映像５４を視認することになる。従って、コントローラ３０は、回転角度検出スイッチ（Ｌ）２８により検出された音声出力部６の回転角度が、音声出力部６が操作者の耳から外され操作者の頭部の後ろ側に位置する所定の角度範囲内である場合には、ＬＣＤ表示部３２に表示されている映像を所定の大きさに縮小しつつ、映像の位置を操作者から見て内側にシフトする。これにより、操作者は表示部１８に表示される映像５６（図７参照）を視認することができる。また、音声出力部６からの音声出力を停止し、音声出力部４から出力される音声の音量を所定量上げる。
【００１８】
一方、操作者が音声出力部６を操作者の頭部の前側へ移動させるように軸１４まわりに所定の回転角度で回転させた場合には、音声出力部６を操作者の頭部の後ろ側へ移動させた場合とは逆に、表示部１８が操作者から見て外側に移動する。この場合には、操作者は操作者から見て内側の端部が蹴られた映像５４を視認することになる。従って、コントローラ３０は、回転角度検出スイッチ（Ｌ）２８により検出された音声出力部６の回転角度が、音声出力部６が操作者の耳から外され操作者の頭部の前側に位置する所定の角度範囲内である場合には、ＬＣＤ表示部３２に表示されている映像を所定の大きさに縮小しつつ、映像の位置を操作者から見て内側にシフトする。これにより、操作者は表示部１８に表示される映像５６（図７参照）を視認することができる。この場合においても、音声出力部６を操作者の頭部の後ろ側へ移動させた場合と同様に、音声出力部６からの音声出力を停止し、音声出力部４から出力される音声の音量を所定量上げる。
【００１９】
本発明の実施の形態に係るＨＭＤによれば、回転角度検出スイッチの検出結果に基づいて、ＬＣＤ表示部に表示される映像を変化させることができるため、音声出力部を移動させたことにより表示部が移動した場合においても、表示部に表示される映像全体を確実に視認することができる。
【００２０】
なお、上述の実施の形態においては、表示部１８は支持アーム１６を介して音声出力部６に取り付けられているが、表示部１８を支持アーム１６を介して接続部１０またはバンド部１２取り付けるようにしてもよい。
【００２１】
また、上述の実施の形態においては、ＬＣＤ表示部３２に表示されている映像を所定の大きさに縮小しつつ映像の位置をシフトする場合に、縮小された映像の輝度を所定量上げているが、縮小された映像のコントラスト、シャープネス、色度等を変化させて、表示部１８に表示される映像に注意を向け易くするようにしてもよい。
【００２２】
また、上述の実施の形態においては、ＬＣＤ表示部３２に表示されている映像を所定の大きさに縮小しつつ映像の位置をシフトする場合に、操作者の耳に装着されていない音声出力部からの音声出力を停止しているが、操作者の耳に装着されていない音声出力部からの音声出力を所定量下げてもよい。
【００２３】
また、上述の実施の形態においては、ＬＣＤ表示部３２に表示されている映像を所定の大きさに縮小しつつ映像の位置をシフトする場合に、操作者の耳に装着されている音声出力部から出力される音声の音量を所定量上げているが、音声出力部４，６からの両方を混合させた音声を操作者の耳に装着されている音声出力部から出力するようにしてもよい。また、操作者の耳に装着されている音声出力部から出力する音声の低音域または高音域を所定量上げてもよい。これにより、操作者の耳に装着されている音声出力部から出力される音声を聞き取り易くすることができる。
【００２４】
また、上述の実施の形態において、コントローラ３０は、回転角度検出スイッチ（Ｒ）２６，回転角度検出スイッチ（Ｌ）２８により検出された音声出力部４，６の少なくとも一方の回転角度がＨＭＤ２を頭部に装着することができる角度範囲を越えた場合には、表示部１８からの映像出力を停止し、音声出力部４，６からの音声出力を停止してもよい。また、電源スイッチをオフにしてもよい。これにより、音声出力部４，６がバンド部１２内部に隠れるように移動された場合等、操作者の頭部にＨＭＤ２を装着することができない場合のＨＭＤ２の消費電力を低減することが可能となる。
【００２５】
また、上述の実施の形態においては、操作者の片眼に映像を提供する表示部１８を用いているが、操作者の両眼に映像を提供する表示部を用いてもよい。この場合には、操作者の各眼に対応するそれぞれのＬＣＤ表示部に表示されている映像を所定の大きさに縮小しつつ映像の位置をシフトする。
【００２６】
また、上述の実施の形態においては、ＬＣＤ表示部３２に表示されている映像を所定の大きさに縮小しつつ映像の位置をシフトしているが、ＬＣＤ表示部３２自体をＬＣＤ表示部３２に表示されている映像の全体を視認することができる位置に移動させるようにしてもよい。
【符号の説明】
【００２７】
２…ＨＭＤ、４，６…音声出力部、８，１０…接続部、１２…バンド部、１４…軸、１８…表示部、２６…回転角度検出スイッチ（Ｒ）、２８…回転角度検出スイッチ（Ｌ）、３０…コントローラ、３２…ＬＣＤ表示部。
【図１】
2012070019.tif 000003
【図２】
2012070019.tif 000004
【図３】
2012070019.tif 000005
【図４】
2012070019.tif 000006
【図５】
2012070019.tif 000007
【図６】
2012070019.tif 000008
【図７】
2012070019.tif 000009